(57)【要約】【課題】カレンダーやポスター等の輸送や保管が容易にできる包装容器を提供する。【解決手段】互いに連設された長方形状をなす４つの側板１，２，３，４と、側板の１つの側板の両端部に連設され、容器本体Ａの両端側開口部に嵌合する四角形状の蓋板５，５’と、蓋板の先端部に連設された横長の差込み片６，６’と、差込み片の両端に連設された舌状の曲げロック７，７’と、蓋板が設けられた側板または該側板と対向する側板の両側に隣接する側板の両端部に連設された内フラップ８，９，８’，９’と、側板の一端側に設けられたミシン目よりなる切り込み線２０及び指かけ口２１と、蓋板の閉鎖時、内フラップの内側に係止された曲げロックを外す針状物を挿入するために側板の一端側偶角部に穿設されたピン孔２４と、側板の１つの側縁に連設された糊代１０とを備えてなり、糊代を介して側板の両側端を接着することにより角筒状をなす容器本体Ａを構成した。【選択図】図１
0003109425.tif 000002
【実用新案登録請求の範囲】
【請求項１】
折り線を介して互いに連設された長方形状をなす４つの側板と、前記側板の１つの側板の両端部に折れ線を介して連設され、前記容器本体の両端側開口部に嵌合する四角形状の蓋板と、前記蓋板の先端部に折れ線を介して連設された横長の差込み片と、前記差込み片の両端に折り線を介して連設された舌状の曲げロックと、前記蓋板が設けられた前記側板または該側板と対向する側板の両側に隣接する前記側板の両端部に折れ線を介して連設された内フラップと、前記側板の一端側に設けられたミシン目よりなる切り込み線及び指かけ口と、前記蓋板の閉鎖時、前記内フラップの内側に係止された前記曲げロックを外す針状物を挿入するために前記側板の一端側偶角部に穿設されたピン孔と、前記側板の１つの側縁に折り線を介して連設された糊代とを備えてなり、前記糊代を介して前記側板の両側端を接着することにより角筒状をなす容器本体を構成したことを特徴とする包装容器。
【請求項２】
前記側板の少なくとも１つに覗き孔を開口してなる請求項１記載の包装容器。
【請求項３】
折り線を介して互いに連設された長方形状をなす４つの側板と、前記側板の１つの側板の両端部に折れ線を介して連設され、前記容器本体の両端側開口部に嵌合する四角形状の蓋板と、前記蓋板の先端部に折れ線を介して連設された横長の差込み片と、前記差込み片の両端に折り線を介して連設された舌状の曲げロックと、前記蓋板が設けられた前記側板または該側板と対向する側板の両端部に折れ線を介して連設された内フラップと、前記側板の一端側に設けられたミシン目よりなる切り込み線及び指かけ口と、前記側板の１つの側縁に折り線を介して連設された糊代とを備えてなり、前記糊代を介して前記側板の両側端を接着することにより角筒状をなす容器本体を構成したことを特徴とする包装容器。
【考案の詳細な説明】
【技術分野】
【０００１】
本考案は組み立て型の包装容器、特に各種賞状、証書、ポスター、カレンダー等を収納するための包装容器に関する。
【背景技術】
【０００２】
従来、各種賞状や証書、カレンダー等を収納して保管したり、遠方よりカレンダーやポスター等を送ったりするときに、図９に示されるような円筒形状からなる包装容器がよく利用されている。
前記包装容器は、筒状に形成された容器本体ａの一端側に、筒状の蓋体ｂを着脱自在に嵌合したもので、筒状に形成された容器本体ａは、外圧に対して比較的強度が高いため、内部に収容した物品の保護性に優れる上、安価である等の特徴を有している。
【考案の開示】
【考案が解決しようとする課題】
【０００３】
しかし前記従来の包装容器は、輸送中に蓋体ｂが容器本体ａより脱落するのを防止するため、蓋体ｂを粘着テープ等で容器本体ａを固定する必要であり、その作業に多くの手間と費用がかかる上、多量の包装容器を輸送する場合、輸送経費が嵩む等の問題がある。
また円筒状の包装容器は転がりやすいため、安定した状態で保管できない上、円筒状の包装容器は嵩ばるため、保管するのに広い場所を必要として、保管場所の確保が容易でなかったり、保管に多くの経費を必要とする等の問題もあった。
【０００４】
本考案はかかる問題を改善するためになされたもので、カレンダーやポスター等の輸送や保管が容易にできる包装容器を提供することを目的とするものである。
【課題を解決するための手段】
【０００５】
本考案の包装容器は、折り線を介して互いに連設された長方形状をなす４つの側板と、側板の１つの側板の両端部に折れ線を介して連設され、容器本体の両端側開口部に嵌合する四角形状の蓋板と、蓋板の先端部に折れ線を介して連設された横長の差込み片と、差込み片の両端に折り線を介して連設された舌状の曲げロックと、蓋板が設けられた側板または該側板と対向する側板の両側に隣接する側板の両端部に折れ線を介して連設された内フラップと、側板の一端側に設けられたミシン目よりなる切り込み線及び指かけ口と、蓋板の閉鎖時、内フラップの内側に係止された曲げロックを外す針状物を挿入するために側板の一端側偶角部に穿設されたピン孔と、側板の１つの側縁に折り線を介して連設された糊代とを備えてなり、糊代を介して側板の両側端を接着することにより角筒状をなす容器本体を構成したものである。
【０００６】
前記構成により、角筒状に組み立てた容器本体内にポスター等の収容物を収容して蓋板を閉鎖すると、差込み片の両端に設けられた曲げロックが内フラップに内側から係止されて蓋板がロックされるため、粘着テープ等により蓋板を固定する必要がなくなり、これによって梱包作業や輸送にかかる費用を大幅に削減できると共に、角筒状の包装容器は安定した状態でコンパクトに保管できるため、多量に扱う場合も扱いが容易な上、保管するのに広い場所を必要としないので、保管に要する経費の削減も図れる。
また容器本体内に誤って別の物品を収容してしまった等の理由で、１度閉鎖した蓋板を再度開放する場合は、側板の隅角部に穿設されているピン孔から針状物を挿入して、折り曲げロックを差込み片とほぼ平行になるまで押圧した後、この状態で差込み片を持ち上げることにより蓋板を簡単に開放することができるため、容器本体を破らずに中身を取り出すことができると共に、蓋板を開放した容器本体は再使用できるため、無駄になることがない。
さらに容器本体からからカレンダー等の収容物を取り出す場合は、指かけ口に指を掛けて、ミシン目よりなる切り込み線から容器本体の一部を切除することにより、蓋板を開放せずに容器本体内より収容物を簡単に取り出すことができるようになる。
【０００７】
本考案の包装容器は、側板の少なくとも１つに覗き孔を開口したものである。
【０００８】
前記構成により、容器本体内に収容した収容物を、蓋板を開放しなくとも覗き孔から見ることができるため、内容物の確認等が容易に行える。
【０００９】
本考案の包装容器は、折り線を介して互いに連設された長方形状をなす４つの側板と、側板の１つの側板の両端部に折れ線を介して連設され、容器本体の両端側開口部に嵌合する四角形状の蓋板と、蓋板の先端部に折れ線を介して連設された横長の差込み片と、差込み片の両端に折り線を介して連設された舌状の曲げロックと、蓋板が設けられた側板または該側板と対向する側板の両側に隣接する側板の両端部に折れ線を介して連設された内フラップと、側板の一端側に設けられたミシン目よりなる切り込み線及び指かけ口と、側板の１つの側縁に折り線を介して連設された糊代とを備えてなり、糊代を介して側板の両側端を接着することにより角筒状をなす容器本体を構成したものである。
【００１０】
前記構成により、角筒状に組み立てた容器本体内にポスター等の収容物を収容して蓋板を閉鎖すると、差込み片の両端に設けられた曲げロックが内フラップに内側から係止されて蓋板がロックされるため、粘着テープ等により蓋板を固定する必要がなくなり、これによって梱包作業や輸送にかかる費用を大幅に削減できると共に、角筒状の包装容器は安定した状態でコンパクトに保管できるため、多量に扱う場合も扱いが容易な上、保管するのに広い場所を必要としないので、保管に要する経費の削減も図れる。
また容器本体からからカレンダー等の収容物を取り出す場合は、指かけ口に指を掛けて、ミシン目よりなる切り込み線から容器本体の一部を切除することにより、蓋板を開放せずに容器本体内より収容物を簡単に取り出すことができるようになる
【考案の効果】
【００１１】
本考案の包装容器によれば、粘着テープ等により蓋板を固定する必要がなくなるため、梱包作業や輸送にかかる費用を大幅に削減できると共に、角筒状の包装容器は安定した状態でコンパクトに保管できるため、保管に要する経費の削減も図れる。
【考案を実施するための最良の形態】
【００１２】
本考案の実施の形態を、図面を参照して詳述する。
図１は包装容器の展開図、図２は包装容器の変形例を示す展開図、図３は包装容器の蓋板に設けられた差込み片の拡大図、図４包装容器を折り畳んだ状態の斜視図、図５は包装容器を折り起こした状態の斜視図、図６は包装容器にカレンダーを収納している状態の斜視図、図７は包装容器の一部を切除して収納されたカレンダーを取り出す際の説明図、図８は１度閉じた蓋板を再度開放する際の説明図である。
容器本体Ａは角筒状となっていて、例えばカレンダー２２を収容して輸送したり、贈呈するギフトボックスとして使用するもので、展開したとき図１に示すように、厚紙例えば段ボール紙の１枚板で構成されている。
この段ボール紙の１枚板は、４個の同一幅及び長さの長方形からなる側板１，２，３及び４が折り線１１，１２，１３を介して連設されている。
【００１３】
側板１の両側の端辺には、側板１，２，３，４を組み立てることにより形成された四角筒の両端と嵌合する四角形状の蓋板５，５’が連設されており、蓋板５，５’には、その先端に差込み片６，６’が折り線１８，１８’を介して連設されており、差込み片６，６’には、折り線１９，１９’を介して舌状の折り曲げロック７，７’が連設されていて、これら折り曲げロック７により、カレンダー２２等を収納し、容器本体Ａの蓋板５，５’が閉じられたとき、蓋体５，５’は完全にロックされ、粘着テ一プ等の他の止め具をすることなく、開かなくなる。
側板２及び４の両側の端辺には、折り線１６，１６’及び１７，１７’を介してそれぞれ内フラップ８，８’及び９，９’が連設されており、側板４には折り線１４を介して糊代１０が連設されていると共に、側板１，２，３，４の一部、例えば側板２には、適宜形状、例えば長円状の覗き孔２３が形成されていて、容器本体Ａに収容されたポスター２２が蓋板５，５’を開放しなくとも外部より確認できるようになっている。
【００１４】
また各側板１，２，３，４の一端側には、収容されたカレンダー２２を容器本体Ａから取り出すための指かけ口２１と、切り込み線２０が横方向にミシン目により形成されており、反対側の端部には、折り曲げロック７，７’を外すためのピン孔２４が、側板２と４の互いに対向する隅角部に穿設されている。
【００１５】
次に前記構成された包装容器の作用を説明する。
図４は容器本体Ａの側板１と３、側板２と４が重なるように、平板状に折り畳んだ状態の斜視図を示すもので、この状態で容器本体Ａを保管したり輸送すれば、多量の容器本体Ａであって嵩張ることがなく、またこの状態から容器本体Ａを折り起こすことにより、容器本体Ａの組み立てがきめて容易となる上、糊代１０により側板１と４が接着されているので、容器本体Ａが分解することもない。
【００１６】
図５は、図４に示す状態に折り畳まれた容器本体Ａを、折り線１１及び１３から内側へ折り込んで角筒状に組み立てた状態を示すもので、この状態から内フラップ８’及び９’を折り線１６’及び１７’より容器本体Ａの内側へ折り込んで内側に入れたら、折り線１８’を折り込み、この状態で折り曲げロック７’を折り線１９’より差込み片６’の内側に折り曲げる。
そしてこの状態で折り線１５’を折り込んで、差込み片６’の折り曲げロック７’が内フラップ８’９’と側板１と３の間に挿入されるように容器本体Ａ内に入れることにより、一方の蓋板５’を閉鎖するもので、閉鎖した蓋板５’は、折り曲げロック７’によりロックされるため開放不能となるが、後述する方法で折り曲げロック７’を外すことにより、開放が可能となる。
【００１７】
以上のようにして一方の蓋板５’を閉鎖したら、開放されている蓋板５側から図６に示すように容器本体内１にポスター２２を収容して、他方の蓋板５も前記蓋板５’の同様に閉鎖する。
容器本体Ａ内に収容したポスター２２は、蓋板５，５’を開放しなくとも覗き孔２３から見ることができるため、内容物の確認等が容易に行えると共に、容器本体Ａ内に誤って別の物品を収容してしまった等の理由で、１度閉鎖した蓋板５’を再度開放する場合は、側板２，４の互いに対向する隅角部に穿設されているピン孔２４から針状物２５を図８に示すように挿入して、折り曲げロック７’を差込み片６’とほぼ平行になるまで押圧した後、この状態で差込み片６’を持ち上げることにより蓋板５’を簡単に開放することができるため、容器本体Ａを破らずに中身を取り出すことができると共に、蓋板５’を開放した容器本体Ａは再使用できるため、無駄になることがない。
一方容器本体Ａからからカレンダー２２を取り出す場合は、指かけ口２１に指を掛けて、ミシン目よりなる切り込み線２０から容器本体Ａの一部を図７に示すように切除することにより、蓋板５，５’を開放せずに容器本体Ａ内よりカレンダー２２を取り出すことができるようになる。
【００１８】
なお図２に示す変形例のように、蓋板５，５’を中央部の側板３の両側に折り線１５，１５’を介して連設するようにしてもよい。
また前記実施の形態では、包装容器をカレンダー２２を収容して輸送したり、贈呈するギフトボックスとして使用する場合について説明したが、各種賞状や証書、ポスター等の収容物を保管したり、輸送する包装容器としても使用できることは勿論である。
【図面の簡単な説明】
【００１９】
【図１】本考案の実施の形態になる包装容器の展開図である。
【図２】本考案の実施の形態になる包装容器の変形例を示す展開図である。
【図３】本考案の実施の形態になる包装容器の蓋板に設けられた差込み片の拡大図である。
【図４】本考案の実施の形態になる包装容器の折り畳んだ状態の斜視図である。
【図５】本考案の実施の形態になる包装容器を折り起こした状態の斜視図である。
【図６】本考案の実施の形態になる包装容器にカレンダーを収容している状態の斜視図である。
【図７】本考案の実施の形態になる包装容器の一部を切除してカレンダーを取り出す際の説明図である。
【図８】本考案の実施の形態になる包装容器の蓋板を１度閉じた後、再度開放する際の説明図である。
【図９】従来の包装容器の説明図である。
【符号の説明】
【００２０】
１，２，３，４    側板
５，５’    蓋板
６，６’    差込み片
７，７’    曲げロック
８，８’，９，９’    内フラップ
１０    糊代
１１，１２，１３，１４，１５，１６，１７，１８    折り線
２０    切り込み線
２１    指かけ口
２３    覗き孔
２４    ピン孔
２５    針状物
【図１】
0003109425.tif 000003
【図２】
0003109425.tif 000004
【図３】
0003109425.tif 000005
【図４】
0003109425.tif 000006
【図５】
0003109425.tif 000007
【図６】
0003109425.tif 000008
【図７】
0003109425.tif 000009
【図８】
0003109425.tif 000010
【図９】
0003109425.tif 000011